(57)【特許請求の範囲】
【請求項１】
搬送両基点に設けられた駆動輪装置及び従動輪装置にそれぞれ一対をなす踏段スプロケットを設けるとともに、その両踏段スプロケットに無端状に巻装された踏段チェーンに所定間隔をもって踏段を取り付けた乗客コンベア装置において、
上記駆動輪装置及び従動輪装置の軸に、その軸に設けられている踏段スプロケットの少なくとも一方の踏段スプロケットより先端側に、軸受によって軸支された端軸との分割結合部が設けられ、
上記駆動輪装置及び従動輪装置の軸に設けられたフランジの外周部に中間フランジを取外自在に装着し、その中間フランジに踏段スプロケットを取り付けたことを特徴とする、請求項１記載の乗客コンベア装置。
【請求項２】
中間フランジを、端軸に設けられた駆動スプロケット或は非常止めホイール用のフランジ部と結合することによって、踏段スプロケットが取り付けられている軸と端軸が互いに連結されていることを特徴とする、請求項１に記載の乗客コンベア装置。
【請求項３】
踏段スプロケットが取り付けられている軸と端軸の結合部は、互いに嵌合によって同一軸線化が図られていることを特徴とする、請求項１または２に記載の乗客コンベア装置。
【請求項４】
踏段スプロケットは、軸の端部に設けられた中間フランジに対して、左右の踏段スプロケット間の空間側から締結されていることを特徴とする、請求項１に記載の乗客コンベア装置。
【請求項５】
踏段スプロケットが取り付けられている軸と端軸間の分割結合面には、トルクを伝達する高摩擦部材が介装されていることを特徴とする、請求項１乃至４のいずれかに記載の乗客コンベア装置。
【請求項６】
搬送両基点に設けられた駆動輪装置及び従動輪装置にそれぞれ一対をなす踏段スプロケットを設けるとともに、その両踏段スプロケットに無端状に巻装された踏段チェーンに所定間隔をもって踏段を取り付けた乗客コンベア装置の分解組立方法において、
既設乗客コンベア装置から取り外された、スプロケット、手摺駆動スプロケット及び軸受けを軸着した端軸と、非常止めホイール、手摺駆動スプロケット及び軸受けを軸着した端軸を先に本体へ仮付けし、次に一対の踏段スプロケットが中間軸に取外自在に取り付けられた中間フランジを介して取り付けられた中間軸を前記左右端軸の間に挿入し、前記踏段スプロケットの内側より締結体で締結して一体軸化した後、本体芯出しをした後、前記本体へ仮取付けした端軸の軸受け部を本体フレームに締結するようにしたことを特徴とする乗客コンベア装置の組立方法。
【発明の詳細な説明】
【０００１】
【発明の属する技術分野】
本発明は、エスカレーターまたは動く歩道などの乗客コンベア装置及びその分解組立方法に関する。
【０００２】
【従来の技術】
図１１及び図１２は一般的な乗客コンベア装置の駆動輪装置が設けられている輸送基点部の側面図及び平面図であって、本体フレーム１内には踏段装置等を駆動する駆動輪装置２が配設されている。すなわち、上記駆動輪装置２は両端がそれぞれ本体フレーム１に固着された軸受３，３によって軸支された一本の駆動軸４を有し、その駆動軸４の一端部には、踏段スプロケット５、駆動スプロケット６及び手摺駆動スプロケット７が装着され、また他端部には踏段スプロケット８、非常止めホイール９及び手摺駆動スプロケット１０が装着されている。一方、上記本体フレーム１に装着された乗降板１１の下方には駆動装置１２が配設されており、その駆動装置１２に設けられたスプロケット１３と前記駆動スプロケット６間に駆動チェーン１４が巻装され、上記駆動装置１２によって駆動チェーン及び駆動スプロケット６を介して駆動軸４が回転駆動されるようにしてある。
【０００３】
また、左右の踏段スプロケット５，８と図示しない他方の輸送基点部における従動輪装置の各踏段スプロケット間にはそれぞれ踏段チェーン１５が無端状に巻装されており、その左右の踏段チェーン１５に所定間隔をもって踏段（図示せず）が取り付けられている。そして、両端の輸送基点部間には上記踏段の移動行程全長にわたって上記踏段を案内するガイドレール１６が敷設してある。
【０００４】
しかして、駆動装置１２により駆動軸４を駆動すると、踏段スプロケット５，８を介して踏段チェーン１５が作動され、その踏段チェーン１５に装着された踏段が移動されるとともに、手摺駆動スプロケット７，１０を介して左右の手摺１７が駆動される。
【０００５】
【発明が解決しようとする課題】
ところで、乗客コンベア装置は交通手段として駅、ビル等の昇降設備として多用されており、その役務は長期にわたって非常に過酷な運転が強いられている。しかも、保守点検時間は短時間に制限されており、部分改修や更新などにおいても短時間工事が要請されている。
【０００６】
乗客コンベア装置は稼動時間及び使用状態にもよるが通常しっかりと保守点検が実施されているが、駆動系の部品である駆動輪装置および従動輪装置は長期間使用していると摩耗や疲労によって寿命が到来する。しかもこの乗客コンベア装置はビル等の中枢交通手段として用いられており、運転中の故障で運休することは許されないので、保守点検中に寿命を予測して故障する前に部品の交換を済ませる必要がある。
【０００７】
ところが、部品改修や更新などは、乗客コンベア装置全体を撤去して新設する場合と異なり、例えば一体形駆動輪装置の場合は取り付け状態が本体フレームやガイドレール等と入り組んで構成されており、そのまま外すことも取り付けることもできない状態である。
【０００８】
すなわち、上記図１１及び図１２に示した装置においては駆動輪装置２の軸構成が両端の軸受３，３間に延びる一体の軸となっており、この駆動軸４に駆動スプロケット６、踏段スプロケット５，８、非常止めホイール９等が高剛性をもって一体的に取り付けられている。しかも、軸端は本体フレーム１の外側線までとなっており、前後上下に本体フレームがあるほか、機械室手前には駆動装置１２が、また反対側にはガイドレール１６などが近傍まで迫って差し込まれており、駆動輪装置２は旋回はもとより、手前および上方等へ引き抜くこともできない。
【０００９】
したがって、駆動輪装置２を取り外すためには、本体フレームは強度的に一部でも切断することは不可能であるため、駆動軸４を切断する以外に方法はない。しかし、既設ビルでは、防災の観点から改修工事では無火器工法が必須であり、溶接機や溶断器は使用できないのが現状である。
【００１０】
そこで、図１３及び図１４に示すように駆動軸４を２分割或は３分割してフランジによって一体に連結することも提案されている。しかしながら、最近の乗客コンベア装置では小型化が進み、駆動軸の外周に踏段が接近しており、駆動輪装置における踏段反転部の軌跡で形成される空間を駆動軸結合のために十分な空間とすることができず、フランジ結合部における曲げモーメントに対抗するだけの強度をもたせることができない等の問題がある。すなわち、上述のように、踏段反転部の軌跡で形成される空間が狭いため、軸連結用のフランジの径が制限され、小径とする必要があることから、締結ボルトの太さを大きくすることができず、その分締結ボルトに加わる負担が大きくなり所要の強度が得られない。したがって、図１３及び図１４に示すように踏段スプロケット５，８間で駆動軸を分割することには問題がある。
【００１１】
このように、既設の駆動輪装置が疲労等で改修したいときでも、一本形の軸構成では駆動輪の一部もしくは全体を簡単に交換できないため、駆動軸の切断または他のガイドレール等の取り外しを行ない、補修や改修をした後に復元しなければならず、駆動輪装置の改修には多くの時間と労力及び改修後の性能、品質を落し兼ねない等の問題がある。
【００１２】
本発明このような点に鑑み、分割形の駆動軸を使用するとともに、結合部の締結ボルトの配設半径を大きくし、締結ボルト直径を大きくでき、結合部に所望の強度を確保させることができ、駆動輪装置の分解組立を容易にした乗客コンベア装置及びその分解組立方法を得ることを目的とする。
【００１３】
【課題を解決するための手段】
本発明は、搬送両基点に設けられた駆動輪装置及び従動輪装置にそれぞれ一対をなす踏段スプロケットを設けるとともに、その両踏段スプロケットに無端状に巻装された踏段チェーンに所定間隔をもって踏段を取り付けた乗客コンベア装置において、上記駆動輪装置及び従動輪装置の軸に、その軸に設けられている踏段スプロケットの少なくとも一方の踏段スプロケットより先端側に、軸受によって軸支された端軸との分割結合部が設けられ、上記駆動輪装置及び従動輪装置の軸に設けられたフランジの外周部に中間フランジを取外自在に装着し、その中間フランジに踏段スプロケットを取り付けたことを特徴とする、請求項１記載の乗客コンベア装置である。
【００１６】
本発明は、中間フランジを、端軸に設けられた駆動スプロケット或は非常止めホイール用のフランジ部と結合することによって、踏段スプロケットが取り付けられている軸と端軸が互いに連結されていることを特徴とする、乗客コンベア装置である。
【００１７】
本発明は、踏段スプロケットが取り付けられている軸と端軸の結合部は、互いに嵌合によって同一軸線化が図られていることを特徴とする、乗客コンベア装置である。
【００１８】
本発明は、踏段スプロケットは、軸の端部に設けられた中間フランジに対して、左右の踏段スプロケット間の空間側から締結されていることを特徴とする、乗客コンベア装置である。
【００１９】
本発明は、踏段スプロケットが取り付けられている軸と端軸間の分割結合面には、トルクを伝達する高摩擦部材が介装されていることを特徴とする、乗客コンベア装置である。
【００２０】
本発明は、搬送両基点に設けられた駆動輪装置及び従動輪装置にそれぞれ一対をなす踏段スプロケットを設けるとともに、その両踏段スプロケットに無端状に巻装された踏段チェーンに所定間隔をもって踏段を取り付けた乗客コンベア装置の分解組立方法において、既設乗客コンベア装置から取り外された、スプロケット、手摺駆動スプロケット及び軸受けを軸着した端軸と、非常止めホイール、手摺駆動スプロケット及び軸受けを軸着した端軸を先に本体へ仮付けし、次に一対の踏段スプロケットが中間軸に取外自在に取り付けられた中間フランジを介して取り付けられた中間軸を前記左右端軸の間に挿入し、前記踏段スプロケットの内側より締結体で締結して一体軸化した後、本体芯出しをした後、前記本体へ仮取付けした端軸の軸受け部を本体フレームに締結するようにしたことを特徴とする乗客コンベア装置の組立方法である。
【００２１】
【発明の実施の形態】
以下、添付図面を参照して本発明の実施の形態について説明する。図１は本発明の第１の実施の形態の正面断面図で、図２はその側面図であって、駆動輪装置２の駆動軸４は、左右両端部に踏段スプロケット５，８が取り付けられた中間軸４ａと、それぞれ軸受３に軸支される端軸４ｂ、４ｃとに分割されている。
【００２２】
上記中間軸４ａの両端部には円板状の鋼材からなる中軸フランジ２１が左右対称にはめ込まれた後、溶接で一体的に固定されている。上記各中軸フランジ２１の外周部には環状の中間フランジ２２が装着され、その中間フランジ２２の外周部には環状に形成された踏段スプロケット５或は８が取り付けられている。
【００２３】
すなわち、上記中軸フランジ２１の外側外周部には周方向に延びる段部２３が設けられており、その段部２３に前記中間フランジ２２の内周側に設けられた段部２４が係合当接され、締結ボルト２５によって中軸フランジ２１に中間フランジ２２が固着されている。また、中間フランジ２２の内側外周部には周方向に延びる段部２６が形成されており、この段部２６に踏段スプロケット５或は８の内周部が係合され、踏段スプロケット５或は８が中間フランジ２２に対して左右の踏段スプロケットの間の空間すなわち内面側から締結ボルト２７によって固着されている。そして、上記中間フランジ２２の外側端面が上記中間軸４ａの端面よりわずかに突出するように形成されている。
【００２４】
一方、前記端軸４ｂはその外端部が本体フレーム１に取り付けられた軸受３に軸支されており、上記中間軸４ａ側の内端部には端軸フランジ２８がはめ込まれた後溶接で一体的に固定されており、その端軸フランジ２８の外周一側面に駆動スプロケット６が締結ボルト２９によって固着され、さらに上記端軸フランジ２８の外側面には取付円筒３０を介して環状の手摺駆動スプロケット７が取り付けられている。
【００２５】
また、他方の端軸４ｃもその外端部が本体フレーム１に取り付けられた軸受３に軸支されており、前記中間軸４ａ側の内端部には端軸フランジ３１が固着され、その端軸フランジ３１の外周一側部には非常止めスプロケット９が装着され、さらに上記端軸フランジ３１の外周面には取付円筒３０を介して他方の環状の手摺駆動スプロケット１０が装着されている。
【００２６】
上記中間軸４ａは左右の端軸４ｂ、４ｃと同一軸線上に位置するように配設され、中間フランジ２２の外側面が端軸フランジ２８、３１の内側面に当接され、その両者が締結ボルト３２によって一体に結合されている。
【００２７】
ところで、上記中間軸４ａと端軸４ｂ、４ｃの相互軸間の同心化を図るため、端軸４ｂ、４ｃに設けられた端軸フランジ２８、３１と中間軸４ａに設けられている中間フランジ２２とは予め工作現場で合せ加工が施されている。この合せ加工では、図３に示すように端軸フランジ２８、３１と中間フランジ２２の単体を締結ボルト３２によって予め締め付けて固定し、上記締結ボルト３２が配設されている円周と同一円周上に、仮合せピン用の穴３３及び芯出し用嵌合穴３４を少なくとも２〜３個所以上加工してある。そして、前述の如く、中間フランジ２２と端軸フランジ２８、３１との結合時には、上記芯出し用嵌合穴３４には後述する芯出しピンが打ち込まれる。
【００２８】
しかして、このように駆動軸４が３分割された駆動輪装置２の取付けに際しては、本体フレーム１に予め端軸４ｂ、４ｃを仮取付けをしておき、次に上記左右の端軸４ｂ、４ｃ間に中間軸４ａを挿入する。そこで、中間フランジ２２と端軸フランジ２８、３１とを予備的に締結ボルト３２を緩めに仮締めしておき、図４の（ａ）に示す用に仮合せピン用の穴３３に仮合せピン３５を打ち込み仮合せをした後、同図（ｂ）に示すように嵌合穴３４に芯出しピン３６を打ち込む。その後締結ボルト３２の本締めを行ない、分割軸の結合を行なう。この嵌合穴３４による芯出しは少なくとも２個所以上であり、本実施形態では芯出しの他トルクを伝達する時の剪断力を受け持つ部材としてバランスよく円周上に３本配設されている。なお、仮合せピン３５は芯出しピン３６を打ち込んだ後直ちに除去される。
【００２９】
一方、上述の如き、駆動輪装置の分解に当たっては、左右の軸受３の本体フレーム１への取付けを緩めた後、上記中間フランジ２２と端軸フランジ２８、３１とを結合する締結ボルト３２をそれぞれ駆動輪装置の内側に引き抜くとともに芯出しピン３６を抜き取ることにより、図５に示すように中間軸４ａをその軸線に直交する方向に引き出すことができ、駆動輪装置の分解を容易に行なうことができる。
【００３０】
さらに、前述の如く組立てられた状態においては、中間フランジ２２と端軸フランジ２８、３１とを締結ボルト３２によって締結することによって中間軸４ａと端軸４ａ、４ｃが連結されるので、上記締結ボルトが配列される円周の半径が大きくなり、締結ボルトの径も大きなものを使用することができる。
【００３１】
また、踏段スプロケット５、８は中間軸４ａに設けられた中軸フランジ２１に対して中間フランジ２２を介して内側から取付けられているので、踏段スプロケット５、８と踏段チェーンとの噛み合い摩耗によって使用できなくなったとき、踏段スプロケットを容易に交換することができる。
【００３２】
図６及び図７は本発明の他の実施の形態を示す図であって、図７に拡大して示すように、端軸フランジ２８の内面すなわち中間フランジ２２との結合面には、周方向に延びる環状突起４０が形成されており、その環状突起４０の内周面に中間フランジ２２の外面に形成された突部４１が嵌合係合され、中間軸４ａと端軸４ｂ、４ｃの同心化を確保するようにしてある。さらに、上記端軸フランジ２８、３１と中間フランジ２２との結合面間にはトルク伝達する高摩擦部材４２が介装されている。
【００３３】
また、上記実施の形態においては、中軸フランジ２１に中間フランジ２２を装着し、その中間フランジ２２に踏段スプロケット５、８を装着したものを示したが、図８に示すように、中間フランジ２８と踏段スプロケット５または８とを合体したものを踏段スプロケット４３として、中軸フランジ２１に外側から取付けるようにしてもよい。
【００３４】
ところで、上記実施の形態においては、中間軸４ａの両端部に端軸４ｂ、４ｃを連結したものを示したが、乗客コンベア装置の設置条件等に応じて、図９に示すように駆動スプロケット６を取り付ける端軸フランジ２８と踏段スプロケット５取り付け用の中軸フランジ２１との間で駆動軸４を分割、結合するようにしてもよく、また図１０に示すように非常止めホイール９を取り付ける端軸フランジ３１と踏段スプロケット８取り付け用の中軸フランジ２１との間で駆動軸４を分割・結合するようにしてもよい。
【００３５】
また、上記実施の形態では駆動輪装置について説明したけれども、従動輪装置についても同様に構成することができる。
【００３６】
【発明の効果】
以上説明したように、本発明は駆動輪装置及び従動輪装置の駆動軸或は従動軸に踏段スプロケットより先端側に分割結合部を設けたので、駆動軸或は従動軸が本体フレームと略同程度の長さを有して固定されていても、端軸を残したまま駆動輪装置等を取り出すことができ、駆動輪装置等を容易に分解することができる。しかも、踏段が通過するスペースに軸の分割点がないため、従来の一本軸で構成したものと同じとなり、踏段の反転スペースとして軸の外形直近まで有効に使用でき、駆動輪装置及び反転部を小形化できる。
【００３７】
しかも、本発明は踏段スプロケットより先端側で端軸と締結結合するため、締結ボルトの直径及びその配置直径を大きくとれる結果、締結ボルトに軸の曲げモーメントに対し十分な強度をもたせることができ、さらに改修時等においても無火器工法を適用でき、改修工事等を短時間に行なうことができる。
【図面の簡単な説明】
【図１】本発明の乗客コンベア装置における駆動輪装置の正面断面図。
【図２】図１の側面図。
【図３】本発明の駆動輪装置の締結結合部の説明図。
【図４】（ａ）、（ｂ）は締結作動説明図。
【図５】本発明における駆動輪装置の中間軸を分解した状態を示す図。
【図６】本発明の他の実施の形態の駆動輪装置の正面断面図。
【図７】図６の矢印で示す部分の拡大図。
【図８】本発明のさらに他の実施の形態を示す正面断面図。
【図９】本発明の他の実施の形態の正面断面図。
【図１０】本発明のさらに他の実施の形態の正面断面図。
【図１１】従来の乗客コンベア装置の輸送基点部における駆動輪装置関係部の側面図。
【図１２】図１１に示す駆動輪装置関係部の平面図。
【図１３】従来の乗客コンベア装置の駆動輪装置における２分割形を示す正面断面図。
【図１４】従来の乗客コンベア装置の駆動輪装置における３分割形を示す正面断面図。
【符号の説明】
１  本体フレーム
２  駆動輪装置
３  軸受
４  駆動軸
４ａ  中間軸
４ｂ、４ｃ  端軸
５、８  踏段スプロケット
６  駆動スプロケット
７、１０  手摺駆動スプロケット
９  非常止めホイール
１１  乗降板
１２  駆動装置
１４  駆動チェーン
１５  踏段チェーン
２１  中軸フランジ
２２  中間フランジ
２５、２７、２９  締結ボルト
２８、３１  端軸フランジ
３０  取付円筒
【図１】
0003886591.tif 000002
【図２】
0003886591.tif 000003
【図３】
0003886591.tif 000004
【図４】
0003886591.tif 000005
【図５】
0003886591.tif 000006
【図６】
0003886591.tif 000007
【図７】
0003886591.tif 000008
【図８】
0003886591.tif 000009
【図９】
0003886591.tif 000010
【図１０】
0003886591.tif 000011
【図１１】
0003886591.tif 000012
【図１２】
0003886591.tif 000013
【図１３】
0003886591.tif 000014
【図１４】
0003886591.tif 000015